(57)【特許請求の範囲】
【請求項１】
紙面に対してＸＹ方向へ移動可能なペンアームと、自動作図機本体に設けたメインスケールとを有する自動作図機において、
サブスケールをＸ方向またはＹ方向に移動可能に前記メインスケールに取り付けたことを特徴とする自動作図機。
【発明の詳細な説明】
【０００１】
【発明の属する技術分野】
この発明は、作図情報に基づいてＸＹ方向へ移動するペンアームを有する自動作図機に関する。
【０００２】
【従来の技術】
従来から、作図情報を入力するキーボードを備えた本体と、この本体内にＸ方向に移動可能に設けられたＸキャリッジと、このＸキャリッジにＹ方向に移動可能に設けられたＹキャリッジと、先端部にペンが保持されその先端部側が上下動可能にＹキャリッジに設けられたペンアームと、前記作図情報に基づいてＸＹキャリッジをＸＹ方向へ移動制御する制御装置とを備えた自動作図機が知られている。
【０００３】
かかる自動作図機は、図１０に示すように、本体１にスケール２が設けられており、このスケール２には罫線Ｌ1a,Ｌ2a,Ｌ1b,Ｌ2b…が引かれている。この罫線Ｌ1a,Ｌ1bと紙面ＳのラインＲとを合わせることにより、紙面ＳのラインＲ上に文字等を作図していくことができる。
【０００４】
【発明が解決しようとする課題】
しかしながら、このような自動作図機にあっては、紙面Ｓ1が小さい場合、その紙面Ｓ1のラインＲ1にスケール２の罫線Ｌ1aを重ねることができても、罫線Ｌ1bを重ねることができない。このため、ラインＲ1がＸ軸に対して傾斜していても分からず、この結果、ラインＲ1上に文字などを作図していくことができないという問題があった。
【０００５】
この発明は、上記問題点に鑑みてなされたもので、その目的は、小さい用紙であっても所定のライン上に文字などを作図していくことのできる自動作図機を提供することにある。
【０００６】
【課題を解決するための手段】
上記目的を達成するために、請求項１の発明は、紙面に対してＸＹ方向へ移動可能なペンアームと、自動作図機本体に設けたメインスケールとを有する自動作図機において、
サブスケールをＸ方向またはＹ方向に移動可能に前記メインスケールに取り付けたことを特徴とする。
【０００８】
【発明の実施の形態】
以下、この発明に係わる自動作図機の実施の形態を図面に基づいて説明する。
［第１実施形態］
図１は自動作図機１０を示したものであり、１１は本体で、この本体１１の上面には作図情報を入力する複数の操作キー１２が設けられた操作部１３と、入力した作図情報を表示する表示部１４とが設けられている。
【０００９】
本体１１の前端面（前面）１５の下側には透明なスケール１６が設けられており、また、前端面１５には左右方向に延びた図示しない開口が形成されている。この開口からペンアーム３０が前方に突出しており、ペンアーム３０の先端部にはペン装着部３１が形成されている。このペンアーム３０は図示しないＸキャリッジおよびＹキャリッジによってＸ軸方向（左右方向）およびＹ軸方向（前後方向）に移動するようになっている。
【００１０】
スケール１６は、左右方向に延びたベース部２０と、このベース部２０の両端から前方に突出したサイド部２１,２２とを備えており、ベース部２０およびサイド部２１,２２には左右方向に延びた罫線Ｋ1,Ｋ2,Ｋ3a,Ｋ3b,Ｋ4a,Ｋ4b…が引かれている。サイド部２１,２２間には、左右方向に延びた透明なサブスケール４０がＹ軸方向に沿って移動可能に設けられている。このサブスケール４０はスケール１６から取り外し自在となっている。
【００１１】
サイド部２１,２２の内側には前後方向に延びた段差２１Ａ,２２Ａが形成され、この段差２１Ａ,２２Ａにはサブスケール４０の両端に設けられた突起部４１,４２が係合しており、サブスケール４０はその段差２１Ａ,２２Ａに沿って移動するようになっている。サブスケール４０には左右方向に延びた罫線ＫJが引かれている。
【００１２】
次に、上記実施の形態の自動作図機の使用方法について説明する。
【００１３】
例えば、小さい紙面ＨのラインＧ上に沿って文字などを作図する場合、サブスケール４０をＹ軸方向に移動させて、サブスケール４０の罫線ＫJを紙面ＨのラインＧに合わせる。この際、罫線ＫJがラインＧに対して傾斜して合わない場合、すなわち、ラインＧがＸ軸と平行になっていない場合には、本体１１に対して紙面ＨをずらせてラインＧを罫線Ｋaに合わせる。
【００１４】
紙面ＨのラインＧがサブスケール４０の罫線ＫJに合えば、すなわち、ラインＧがＸ軸と平行になったら、サブスケール４０を作図に邪魔にならない位置へＹ軸方向に沿って移動させる。そして、操作キー１２を操作して作図する文字や記号等を入力し、作図実行キーを操作することにより、ペンアーム３０がＸＹ方向に移動されて紙面ＨのラインＧに沿って所望の文字などの作図が行なわれていく。
【００１５】
このように、紙面Ｈが小さい場合でも、サブスケール４０の罫線ＫJに合わせることにより紙面ＨのラインＧをＸ軸と平行にさせることができ、そのラインＧ上に文字などを作図することができる。
【００１６】
図３は他の例を示したものであり、この例ではスケール３５の中央部に長方形状の開口３６を形成し、この開口３６上をサブスケール４０が移動するようにしたものである。
［第２実施形態］
図４は第２実施形態を示したものであり、この第２実施形態では、Ｙ軸方向に延びたサブスケール５０をＸ軸方向に移動できるようにスケール１６に取り付けたものである。このスケール１６のベース部２０には左右方向に延びたガイド溝４５が形成され、このガイド溝４５には図５に示すようにサブスケール５０に設けた突起５１が係合しており、このガイド溝４５に沿ってサブスケール５０がＸ軸方向に移動できるようになっている。サブスケール５０にはＸ軸方向に沿って複数の罫線ＫJ1〜ＫＪ4が引かれている。
【００１７】
罫線ＫJ1〜ＫJ4は、スケール１６のサイド部２１,２２に引かれた罫線Ｋ3a,Ｋ3b,Ｋ4a,Ｋ4b…と同一直線上にある。
【００１８】
この第２実施形態では、サブスケール５０をガイド溝４５に沿って紙面Ｈの端部と重なる位置まで移動させ、そして、サブスケール５０の罫線ＫJ1とスケール１６のサイド部２１の罫線Ｋ3aとに紙面ＨのラインＧを一致させるものである。
【００１９】
図６および図７は他の例を示したものであり、この例ではスケール１６のサイド部２１,２２の先端部に連結部２５を連続形成し、この連結部２５とベース部２０に段差２５Ａ,２０Ａを形成し、この段差２５Ａ,２０Ａにサブスケール５０の両端に設けた突出部５３,５４を係合させて、サブスケール５０を段差２５Ａ,２０Ａに沿ってＸ軸方向に移動できるようにしたものである。
【００２０】
また、サブスケール５０は取り外し自在となっているが、作図範囲Ｅに隣接した位置に退避エリアＴを設け、作図中はサブスケール５０を退避エリアＴに退避させる。また、スケール１６にスプリング１００を設け、このスプリング１００の一端をサブスケール５０に取り付けて、手を離せばサブスケール５０がスプリング１００の付勢力によって退避エリアＴへ移動するようにしてもよい。
［第３実施形態］
図８は第３実施形態を示したものであり、この第３実施形態ではサブスケール６０だけを設けたものである。この第３実施形態では、本体１１の底部に取り付けたベース部材６１に左右方向に延びたガイド溝６２を形成し、このガイド溝６２にサブスケール６０に設けた突起６３を係合させて、サブスケール６０をガイド溝６２に沿ってＸ軸方向に移動させるようにしたものである。
【００２１】
この第３実施形態では、先ず、サブスケール６０を鎖線位置へ移動させて例えば紙面ＨのラインＧと罫線ＫJ2とを一致させ、次に、サブスケール６０を破線位置へ移動させて紙面ＨのラインＧと罫線ＫJ2とを一致させるものである。このようにすることにより、紙面ＨのラインＧ上に文字などを作図していくことができる。
【００２２】
この第３実施形態では、サブスケール６０をベース部材６１に取り付けているが、本体１１の底部１１Ａに移動可能に取り付けてもよい。
【００２３】
【発明の効果】
この発明によれば、サブスケールをＸ軸方向またはＹ軸方向へ移動させることによって用紙のラインをＸ軸に対して傾けることなくＸ軸と平行にすることができ、このため、小さい用紙であっても所定のライン上に文字などを作図していくことができる。
【図面の簡単な説明】
【図１】この発明に係る自動作図機を示した平面図である。
【図２】サブスケールの取り付けられた状態を示した説明図である。
【図３】他の例を示した自動作図機の平面図である。
【図４】第２実施形態の自動作図機を示した平面図である。
【図５】スケールに取り付けられたサブスケールを示した説明図である。
【図６】第２実施形態の他の例を示した平面図である。
【図７】図６のスケールに取り付けられたサブスケールを示した説明図である。
【図８】第３実施形態の自動作図機を示した平面図である。
【図９】サブスケールの取付状態を示した説明図である。
【図１０】従来の自動作図機を示した平面図である。
【符号の説明】
１１        作図機本体
１６        スケール（メインスケール）
３０        ペンアーム
４０        サブスケール
Ｈ        紙面
ＫJ         罫線
【図１】
0003663971.tif 000002
【図２】
0003663971.tif 000003
【図３】
0003663971.tif 000004
【図４】
0003663971.tif 000005
【図５】
0003663971.tif 000006
【図６】
0003663971.tif 000007
【図７】
0003663971.tif 000008
【図８】
0003663971.tif 000009
【図９】
0003663971.tif 000010
【図１０】
0003663971.tif 000011